(57)【要約】【課題】コンピュータシステムにおいて、待機状態の機能実行部（回路ブロック）の消費電力と、その機能実行部が処理したデータを記憶する、ＣＰＵに内蔵された揮発性記憶部の消費電力とを低減する省電力処理装置、および、その省電力処理装置によって実現される消費電力を低減する画像処理システムを提供する。【解決手段】省電力処理装置は、制御部に制御されて、ジョブデータに対して所定の処理を実行する機能実行部と、機能実行部が処理したデータを記憶する揮発性記憶部と、前記機能実行部と前記揮発性記憶部との双方に電力を供給する供給先限定電源部とを備え、制御部は、ジョブデータが入力されなかったときに、複製記憶機能部を制御して、揮発性記憶部に記憶されたデータを、不揮発性記憶部に記憶させて、供給先限定電源部の電力供給機能を停止させる。【選択図】図２
2011242925.tif 000002
【特許請求の範囲】
【請求項１】
制御部と、
ジョブデータが入力されるジョブデータ入力部と、
前記制御部に制御されて、前記ジョブデータに対して所定の処理を実行する機能実行部と、
前記機能実行部が処理したデータを記憶する揮発性記憶部と、
前記機能実行部と前記揮発性記憶部との双方に電力を供給する供給先限定電源部と、
を備える省電力処理装置であって、
前記機能実行部は、前記制御部に制御されて、不揮発性記憶部にデータを記憶させる複製記憶機能部を備え、
前記制御部は、
前記ジョブデータが入力されなかったときに、前記複製記憶機能部を制御して、前記揮発性記憶部に記憶されたデータを、前記不揮発性記憶部に記憶させて、前記供給先限定電源部の電力供給機能を停止させる
ことを特徴とする省電力処理装置。
【請求項２】
前記複製記憶機能部は、前記制御部に制御されて、前記不揮発性記憶部に記憶されたデータを取得する機能を有し、
前記制御部は、
前記供給先限定電源部の電力供給機能を停止させた後、前記ジョブデータが入力されたときに、前記供給先限定電源部の電力供給機能を実行させ、前記複製記憶機能部を制御して、前記不揮発性記憶部から取得したデータを前記揮発性記憶部に記憶させる
ことを特徴とする請求項１に記載された省電力処理装置。
【請求項３】
前記揮発性記憶部は、ＣＰＵに内蔵されたレジスタであり、
前記不揮発性記憶部は、フラッシュメモリである
ことを特徴とする請求項１または請求項２に記載された省電力処理装置。
【請求項４】
前記レジスタには、前記機能実行部が処理したデータを記憶する領域が予め設定されていることを特徴とする請求項３に記載された省電力処理装置。
【請求項５】
請求項１ないし請求項４のいずれか１項に記載された省電力処理装置によって実現される画像処理システムであって、
前記機能実行部は、前記ジョブデータとして入力された画像データに画像処理を行うことを特徴とする画像処理システム。
【請求項６】
画面表示部と印刷部とを備え、
前記機能実行部は、
前記画像データに含まれるＲＧＢデータまたはＹＣｂＣｒデータをＫＹＭＣデータに変換する色変換機能部と、
前記ＫＹＭＣデータを２値化したイメージデータを生成する２値化機能部と、
前記ＫＹＭＣデータと前記イメージデータとの双方を合成すると共に、前記画面表示部にて視認可能にする処理をした画面データを生成する画面表示機能部と、
前記ＫＹＭＣデータと前記イメージデータとの双方を合成すると共に、前記印刷部にて印刷可能にする処理をした印刷データを生成する印刷機能部と
を備えることを特徴とする請求項５に記載された画像処理システム。
【請求項７】
制御部と、
ジョブデータが入力されるジョブデータ入力部と、
前記制御部に制御されて、前記ジョブデータに基づく所定の処理を実行する機能実行部と、
前記機能実行部が処理したデータを記憶する揮発性記憶部と、
前記機能実行部と前記揮発性記憶部との双方に電力を供給する供給先限定電源部と、
ユーザから、待機モードまたは省電力モードが選択される操作入力部と
を備える省電力処理装置であって、
前記機能実行部は、前記制御部に制御されて、不揮発性記憶部にデータを記憶させる複製記憶機能部を備え、
前記制御部は、
前記ジョブデータが入力されなかったときに、
前記操作入力部で、省電力モードが選択されていた場合、前記複製記憶機能部を制御して、前記揮発性記憶部に記憶されたデータを、前記不揮発性記憶部に記憶させて、前記供給先限定電源部に電力供給を停止させ、
一方、前記操作入力部で、待機モードが選択されていた場合、前記供給先限定電源部に、前記機能実行部への電力供給を停止させる
ことを特徴とする省電力処理装置。
【発明の詳細な説明】
【技術分野】
【０００１】
本発明は、消費電力を低減する省電力処理装置および画像処理システムに関し、特に、処理を実行していない待機状態の画像処理装置に用いられる省電力処理装置および画像処理システムに関する。
【背景技術】
【０００２】
従来、画像処理装置に用いられる省電力処理装置について、ＣＰＵ（Central Processing Unit）の駆動クロックを通常時より低速化することで、動作電流を低減していることや、動作不要な回路ブロックに対して、駆動クロックの供給を停止し、消費電力を低減することが開示されている（特許文献１参照）。
【先行技術文献】
【特許文献】
【０００３】
【特許文献１】特開２００４−３２６１５３号公報
【発明の概要】
【発明が解決しようとする課題】
【０００４】
しかしながら、近年の技術進歩により半導体素子の微細化・高密度化が進むにつれ、消費電力全体におけるリーク電流による消費電力の割合が増加してきている。このため、従来の画像処理装置に用いられる省電力処理装置であっても、待機状態で動作しない回路ブロックにおける消費電力（待機電力や、リーク電流による電力など）が問題となる。
【０００５】
また、前記回路ブロックだけでなく、ＣＰＵが制御して回路ブロックの機能を実現したときに、ＣＰＵに内蔵された揮発性記憶部（レジスタ）に記憶されたデータ（データ自体や、データが記憶された不揮発性記憶部のアドレスなど）を維持するために供給される電力も問題となる。
【０００６】
本発明は、以上のような問題を解決するためになされたものであり、コンピュータシステムにおいて、待機状態の機能実行部（回路ブロック）の消費電力と、その機能実行部が処理したデータを記憶する、ＣＰＵに内蔵された揮発性記憶部の消費電力とを低減する省電力処理装置、および、その省電力処理装置によって実現される消費電力を低減する画像処理システムを提供することを課題とする。
【課題を解決するための手段】
【０００７】
前記課題を解決するために、第１発明の省電力処理装置は、ジョブデータが入力されるジョブデータ入力部と、前記制御部に制御されて、前記ジョブデータに対して所定の処理を実行する機能実行部と、前記機能実行部が処理したデータを記憶する揮発性記憶部と、前記機能実行部と前記揮発性記憶部との双方に電力を供給する供給先限定電源部と、を備える省電力処理装置であって、前記機能実行部は、前記制御部に制御されて、不揮発性記憶部にデータを記憶させる複製記憶機能部を備え、前記制御部は、前記ジョブデータが入力されなかったときに、前記複製記憶機能部を制御して、前記揮発性記憶部に記憶されたデータを、前記不揮発性記憶部に記憶させて、前記供給先限定電源部の電力供給機能を停止させることを特徴とする。
【０００８】
かかる構成によれば、省電力処理装置は、所定の条件を満たしたときに、待機状態で動作しない機能実行部と、その機能実行部が処理したデータを記憶する揮発性記憶部とにおける消費電力を低減することができる。
【０００９】
第２発明の画像処理システムは、第１発明の省電力処理装置によって実現される画像処理システムであって、機能実行部がジョブデータとして入力された画像データに画像処理を行うことを特徴とする。
【発明の効果】
【００１０】
第１発明によれば、揮発性記憶部に記憶されたデータを消去せずに、システム全体の消費電力を低減することができる。
また、第２発明によれば、第１発明と同様に、揮発性記憶部に記憶されたデータを消去せずに、システム全体の消費電力を低減する画像処理を実現することができる。
【図面の簡単な説明】
【００１１】
【図１】第１の実施形態に係る省電力処理装置を含む画像処理システムのブロック図である。
【図２】第１の実施形態に係る省電力処理装置の電気配線図である。
【図３】操作表示部に表示された初期画面（メニュー画面）の一例である。
【図４】操作表示部に表示された省エネモード設定画面の一例である。
【図５】第１の実施形態に係る省電力処理装置の省電力処理動作のガントチャートである。
【図６】第１の実施形態に係る省電力処理装置のモード変更処理動作のフローチャートである。
【図７】第１の実施形態に係る省電力処理装置の通常モード実行中処理動作のフローチャートである。
【図８】第１の実施形態に係る省電力処理装置の省電力モード開始処理動作のフローチャートである。
【図９】第１の実施形態に係る省電力処理装置の省電力モード実行処理動作のフローチャートである。
【図１０】第１の実施形態に係る省電力処理装置の通常モード開始処理動作のフローチャートである。
【図１１】第１の実施形態に係る省電力処理装置の待機モード開始処理動作のフローチャートである。
【図１２】第２の実施形態に係る省電力処理装置を含む画像処理システムのブロック図である。
【図１３】第２の実施形態に係る省電力処理装置の電気配線図である。
【発明を実施するための形態】
【００１２】
［第１の実施形態］
次に、第１の実施形態について、適宜、図面を参照しながら詳細に説明する。
以下、図面を参照して、本発明の実施の形態につき詳細に説明する。なお、各図は、本発明を十分に理解できる程度に、概略的に示してあるに過ぎない。よって、本発明は、図示例のみに限定されるものではない。また、各図において、共通する構成要素や同様な構成要素については、同一の符号を付し、それらの重複する説明を省略する。
【００１３】
［画像処理システム１］
図１は、省電力処理装置を含む画像処理システムのブロック図である。ここでは、省電力処理装置２が画像処理システム１としてのプリンタ（または、ＭＦＰ（Multi Function Peripheral））に組み込まれているものとして説明する。ＭＦＰとは、プリンタにファクシミリ機能やスキャナ機能、コピー機能などを付加した装置である。図１に示すように、画像処理システム１は、省電力処理装置２と、主電源部３と、ＦＬＡＳＨ−ＲＯＭ４（不揮発性記憶部）と、画面表示部５と、印刷部６とを備え、サーバやＰＣ（Personal Computer）といったコンピュータ（以下、単にＰＣとする）７と不図示のインタフェースを介して、データの送受信が可能に接続される。
ＦＬＡＳＨ−ＲＯＭ４は、不揮発性の記憶部であればよく、本実施形態では、高速アクセスを実現するために、不揮発性メモリの特性と揮発性メモリの特性とを兼ね備えるフラッシュメモリ（flash memory）を用いている。
【００１４】
省電力処理装置２は、主電源部３から電源が供給され、ＰＣ７から入力されるジョブデータ（ここでは、画像データとする）に画像処理を行って、処理データをＦＬＡＳＨ−ＲＯＭ４に記憶させたり、例えば外部接続された液晶モニタである画面表示部５に画像を表示させたり、例えば印刷部６に画像を印刷させたりする。処理の詳細な説明は後記する。
ここで、ＦＬＡＳＨ−ＲＯＭ４と、画面表示部５と、印刷部６とは、主電源部３とは異なる電源部（不図示）から電力が供給されている。
【００１５】
［省電力処理装置２］
省電力処理装置２は、ＣＰＵ１０（制御部１１、機能レジスタ群１２、レジスタ群１３）と、プログラムＲＯＭ１４と、ＲＡＭ１５（ＣＰＵ１０の作業領域）と、外部接続部１６と、操作入力接続部１７と、操作表示接続部１８と、クロック部２１（クロック生成部２２、クロック変調出力部２３、クロック出力先制限部２４）と、リセット部２５（リセット生成部２６、リセット出力先選択部２７）と、時間計測部２８と、機能実行部群３０（色変換機能部３１、２値化機能部３２、複製記憶機能部３３、画面表示機能部３４、印刷機能部３５）と、供給先限定電源部４０（補助電源部４１、電力供給ＳＷ（スイッチ）４２）とを備える。
【００１６】
［ＣＰＵ１０］
ＣＰＵ１０は、後記するプログラムＲＯＭ１４から処理に必要なプログラムを取得して実行し、省電力処理装置２の各構成部を制御する制御部１１と、その制御部１１の処理によるデータが書き込まれるレジスタとから構成される。
ここで、ＣＰＵ１０には、レジスタが複数集まったレジスタ群１３と、制御部１１が後記する機能実行部群３０を制御して機能を実現するときに処理されたデータ（データ自体や、データが記憶された不揮発性記憶部のアドレスなど）が書き込まれるレジスタ（以下、機能レジスタとする）が複数集まった機能レジスタ群１２とが構成される。
また、ＣＰＵ１０は、レジスタおよび機能レジスタのアクセス領域や複製記憶部（ＦＬＡＳＨ−ＲＯＭ）のアクセス領域を決定するマッピング機能を有する。
ここで、レジスタ群１３には、主電源部３から電力が供給され、一方、機能レジスタ群１２には、電力供給ＳＷ４２のスイッチの切り替えに応じて、主電源部３から主電力、または補助電源部４１から補助電力が供給される。
【００１７】
［プログラムＲＯＭ１４］
プログラムＲＯＭ１４には、プログラムが記憶されている。
［ＲＡＭ１５］
ＲＡＭ１５は、ＣＰＵ１０の作業領域であり、制御部１１の処理に応じて、データが記憶される記憶部であり、例えば、ＳＲＡＭ（Static Random Access Memory）やＤＲＡＭ（Dynamic RAM）で構成され、ＰＣ７から入力された画像データは一旦、ＲＡＭ１５に記憶される。
［外部接続部１６］
外部接続部１６は、ＵＳＢ（Universal Serial Bus）端子のケーブルやＬＡＮ（Local Area Network）ケーブルなどを介して、ＰＣ７とデータの送受信が可能に接続されるインタフェース部であり、ジョブデータ入力部として機能する。
【００１８】
［機能実行部群３０］
機能実行部群３０は、外部接続部１６に、画面表示部５への画面表示指示や、印刷部６への印刷指示を伴う、ジョブデータ（画像データを含む）が入力されることで、制御部１１に制御されて、所定の処理を実行する機能実行部の集合である。
本実施形態では、機能実行部群３０は、色変換機能部３１、２値化機能部３２、複製記憶機能部３３、画面表示機能部３４、および印刷機能部３５によって構成されている。
これらは、ジョブデータが入力されるまで、処理を行わない機能実行部である。
また、機能実行部群３０は、補助電源部４１から補助電力が供給される。
【００１９】
色変換機能部３１は、ＰＣ７から入力された画像データに含まれるＲＧＢデータやＹＣｂＣｒを、印刷部６の印刷能力に応じて設定されるＫＹＭＣデータ（４色データ）に変換する機能を有し、制御部１１に制御されて、当該機能を実現することができる機能実行部である。なお、ＫＹＭＣデータは、ブラック（Ｋ）、イエロー（Ｙ）、マゼンタ（Ｍ）、シアン（Ｃ）の４つの色を表すデータである。
【００２０】
２値化機能部３２は、色変換機能部３１が生成したＫＹＭＣデータを２値化してイメージデータを生成する機能を有し、制御部１１に制御されて、当該機能を実現することができる機能実行部である。
【００２１】
複製記憶機能部３３は、ＦＬＡＳＨ−ＲＯＭ４にアクセスし、データを記憶したり、記憶したデータを取得したり（読み出したり）する機能を有し、制御部１１に制御されて、当該機能を実現することができる機能実行部である。
【００２２】
画面表示機能部３４は、不図示のインタフェースを介して接続された画面表示部５に、画像処理後の画像データを出力する機能を有し、制御部１１に制御されて、当該機能を実現することができる機能実行部である。
【００２３】
印刷機能部３５は、不図示のインタフェースを介して接続された印刷部６に、画像処理後の画像データを出力する機能を有し、制御部１１に制御されて、当該機能を実現することができる機能実行部である。
【００２４】
画像処理システム１の電源をオンにしてから最初に機能レジスタ群１２の初期化が行われる際に、機能レジスタ１２３は、プログラムＲＯＭ１４からＦＬＡＳＨ−ＲＯＭ４にアクセスするためのデータを読み出して記憶し、機能レジスタ１２１，１２２，１２４，１２５は、ＦＬＡＳＨ−ＲＯＭ４からデータを取得する。また、ＦＬＡＳＨ−ＲＯＭ４にデータが記憶されていない場合には、機能レジスタ１２１，１２２，１２４，１２５は、プログラムＲＯＭ１４に格納されたデータや、外部接続部１５を介してＰＣ７から取得したデータを記憶する。
【００２５】
また、機能レジスタ１２１には、色変換機能部３１が色変換を行うときに使用する印刷能力に対応するパラメータなどが記憶される。
機能レジスタ１２２には、２値化機能部３２が多値データを２値化するときの閾値などが記憶される。
機能レジスタ１２３には、プログラムＲＯＭ１４から複製記憶機能部３３がアクセス可能な場所の識別子や領域を示すアドレスなどのパラメータを読み出し記憶される。
機能レジスタ１２４には、画面表示機能部３４が出力する画像表示部５の表示可能縦横領域範囲や色範囲などのパラメータが記憶される。
機能レジスタ１２５には、印刷機能部３５が印刷部６に画像データを送信するための印刷部６の場所や、印刷部６とのインタフェースの情報などが記憶される。
そして、各機能実行部に対応する機能レジスタ（１２１，１２２，１２３，１２４，１２５）には、機能実行部の各機能で画像処理を行うために必要なデータＤとともに、そのデータＤのレジスタアドレスＡｄとが処理前に記憶され、制御部１１に制御された各機能実行部（色変換機能部３１、２値化機能部３２、複製記憶機能部３３、画面表示機能部３４、印刷機能部３５）が機能を実行して、その機能に応じた処理が行われる。
【００２６】
［主電源部３、供給先限定電源部４０］
省電力処理装置２は、主電源部３と補助電源部４１との２つの電源部を有する。
図２に示すように、主電源部３と補助電源部４１とは、電気配線Ｌ（Ｌｍ、Ｌｗ、Ｌｓ）を介して、電力供給が可能なように、省電力処理装置２が備える構成部それぞれと接続されている。
電力供給ＳＷ４２は、制御部１１により制御されて、電力の供給先を切り替えるスイッチであり、電気配線Ｌｗを介して、ＣＰＵ１０が備える機能レジスタ群１２に、主電源部３からの電力（主電力）、または、補助電源部４１からの電力（補助電力）を供給する。
【００２７】
主電源部３は、制御部１１と、レジスタ群１３と、プログラムＲＯＭ１４と、ＲＡＭ１５と、外部接続部１６と、操作入力接続部１７と、操作表示接続部１８と、クロック部２１（クロック生成部２２、クロック変調出力部２３、クロック出力先制限部２４）と、リセット部２５（リセット生成部２６、リセット出力先選択部２７）と、時間計測部２８と、電力供給ＳＷ４２に、電気配線Ｌｍを介して、主電力を供給する。
【００２８】
補助電源部４１は、機能実行部群３０（色変換機能部３１、２値化機能部３２、複製記憶機能部３３、画面表示機能部３４、印刷機能部３５）に、電気配線Ｌｓを介して、補助電力を供給する。そして、補助電源部４１は、制御部１１に制御されて、電源のＯＮ／ＯＦＦの切り替えを行う。
【００２９】
ここで、主電源部３は、画像処理システム１を構成するすべての構成部（システム全体分の構成部）に必要な電力を供給する。一方、補助電源部４１は、待機モード（高速立ち上がりモード）の時に、稼動する構成部が必要な電力を供給する。
【００３０】
［クロック部２１］
クロック部２１は、クロック信号を生成して省電力処理装置２の各構成部に出力する構成部であり、クロック生成部２２と、クロック変調出力部２３と、クロック出力先制限部２４とを備える。
クロック生成部２２は、所定の周波数（Ｆ）のクロック信号を生成する。
クロック変調出力部２３は、クロック生成部２２が生成したクロック信号の周波数を、後記する操作入力部１７０にて選択されたモードに応じて、所定の周波数（Ｆch）に変調して出力する。ここで、周波数Ｆchは、クロック生成部２２が生成するクロック信号の周波数（Ｆ）より低い周波数である（Ｆch＜Ｆ）。
クロック出力先制限部２４は、クロック生成部２２が生成したクロック信号を機能実行部群３０および機能レジスタ群１２へクロック信号を出力し、制御部１１の制御に応じて、それぞれに対してクロック信号の出力を停止する。
【００３１】
［リセット部２５］
リセット部２５は、リセット信号を出力する構成部であり、リセット信号を生成するリセット生成部２６と、そのリセット信号を、制御部１１からの指示に応じて出力先を限定して出力するリセット出力先選択部２７とを備える。リセット部２５は、リセット生成部２６がリセット信号を生成し、リセット出力先選択部２７が、（１）機能実行部群３０、（２）機能レジスタ群１２、（３）機能実行部群３０および機能レジスタ群１２以外の構成部、を出力先として選択して、リセット信号を出力する。
そして、リセット部２５は、リセット信号を出力後、電源部など他の部分の信号が安定し、全部品が確実にリセット動作を終えるまで待ってからリセット信号を停止する。
【００３２】
［時間計測部２８］
時間計測部２８は、クロック部２１から出力されるクロック信号をカウントし、時間を計測する構成部である。
【００３３】
［操作入力接続部１７、操作表示接続部１８］
操作入力接続部１７は、ユーザが操作可能なタッチパネルやキーボード、操作ボタンなどで構成される操作入力部１７０を介して、ユーザが入力したデータを取得し、制御部１１へ出力するインタフェース部である。
操作表示接続部１８は、ＬＣＤ（Liquid Crystal Display）などである操作表示部１８０に画像を表示させるために、制御部１１に制御されて、ユーザへ入力を促す所定の操作画面データを出力するインタフェース部である。
【００３４】
図３および図４に、操作入力部１７０からの入力に応じて、操作表示部１８０に表示される画面の一例を示す。図３は、操作表示部１８０に表示された初期画面（メニュー画面）の一例を示しており、図４は、操作表示部１８０に表示された省エネモード設定画面の一例である。
【００３５】
＜初期画面（メニュー画面）＞
まず、操作表示部１８０には、メニュー画面が表示される。
ユーザは、操作入力部１７０を操作して、メニュー画面に表示された、『印刷設定』、『印刷履歴』、『省エネモード設定』、『テスト印刷』の中から、『省エネモード設定』を選択する。これにより、操作表示部１８０には、省エネモード設定画面が表示される。
【００３６】
＜省エネモード設定画面＞
ユーザは、操作入力部１７０を操作して、省エネモード設定画面に表示された、『通常モード』、『省エネモード：高速立ち上がり』、『省エネモード：省電力優先』の中から、いずれか１つを選択する。
【００３７】
『通常モード』が選択された場合には、ＲＡＭ１５にモード情報「通常モード」が記憶される。また、『省エネモード：高速立ち上がり』が選択された場合には、ＲＡＭ１５にモード情報「待機モード」が記憶される。そして、『省エネモード：省電力優先』が選択された場合には、ＲＡＭ１５にモード情報「省電力モード」が記憶される。
また、画像処理システム１を起動したときは、ＲＡＭ１５に記憶されたモード情報に係わらず、省電力処理装置２は通常モードで処理を実行する。
【００３８】
ここで、図４の操作表示部１８０に表示される復旧時間について記載する。
この復旧時間は、省電力処理装置２が「待機モード」および「省電力モード」で処理を実行しているときに、「通常モード」へ復旧するために要する時間である。
「省電力モード」からの復旧時間をＴとすると、「待機モード」での復旧時間は、Ｔ−７×（ｔｗ＋ｔｒ）で算出される。ここで、「省電力モード」からの復旧時間Ｔは、予想復旧時間であり、予め不図示の不揮発性記憶部、例えばＨＤＤ（Hard Disc Drive）に記憶されている。このＨＤＤは、主電源部から電力が供給される。
なお、ｔｗの値は、機能実行部（機能実行部群３０）が、機能レジスタ（機能レジスタ群１２）にデータＤを記憶させるために要する時間として予め設定される。また、ｔｒの値は、機能実行部（機能実行部群３０）が、ＦＬＡＳＨ−ＲＯＭ４からデータＤを取得するために要する時間として予め設定される。
【００３９】
ここで、操作入力部１７０にて、『通常モード』が選択された場合、『省エネモード：高速立ち上がり』が選択された場合、『省エネモード：省電力優先』が選択された場合のそれぞれにおける機能実行部群３０および機能レジスタ群１２の消費電力について、以下に示す。
なお、機能実行部群３０は、それぞれスイッチング素子の数が多いため、リーク電流が多い。
【００４０】
【表１】
2011242925.tif 000003
【００４１】
［『通常モード』が選択された場合］
操作入力部１７０にて『通常モード』が選択された場合、省電力処理装置２（制御部１１）は、省エネ処理を行わない通常の処理を行う。表１に示すように、主電源部３からは主電力が供給され（ＯＮ）、補助電源部４１からは補助電力が供給され（ＯＮ）、電力供給ＳＷ４２からは主電力が機能レジスタ群１２に供給され（主電力供給）、クロック変調出力部２３は周波数（Ｆ）を変調せずにクロックを出力し（変調なし）、クロック出力先制限部２４は出力先を制限せずに、クロックを機能実行部群３０および機能レジスタ群１２にも出力する（制限なし）。
この通常モードの場合に、機能実行部や機能レジスタが消費する電力は、式（１）で算出することができる。
【００４２】
【数１】
2011242925.tif 000004
Ｐ1：消費電力、Ｃ：負荷容量、ｆ：クロック周波数、Ｖ：電源電圧、Ｎ：信号のスイッチング係数、Ｑ：貫通電流による電荷、Ｉ：リーク電流
【００４３】
［『省エネモード：高速立ち上がり』が選択された場合］
また、操作入力部１７０にて『省エネモード：高速立ち上がり』が選択された場合、省電力処理装置２（制御部１１）は、待機モードの処理を実行する。表１に示すように、主電源部３はＯＮ、補助電源部４１からは補助電力が供給されない（ＯＦＦ）、電力供給ＳＷ４２は主電力を供給し、クロック変調出力部２３は周波数（Ｆch）を変調してクロックを出力し（変調あり）、クロック出力先制限部２４は出力先を制限して、クロックを機能実行部群３０および機能レジスタ群１２には出力しない（制限あり）。
この待機モードの場合、補助電源部４１から補助電力が供給されないため、機能実行部群３０での消費電力を削減することができる。
また、クロック出力先制限部２４は、クロックを機能実行部群３０および機能レジスタ群１２には出力しないため、クロック周波数（ｆ）は、ｆ＝０である。よって、機能レジスタでのみ電力が消費され、その電力Ｐ2は、式（２）で算出することができる。
【００４４】
【数２】
2011242925.tif 000005
【００４５】
［『省エネモード：省電力優先』が選択された場合］
また、操作入力部１７０にて『省エネモード：省電力優先』が選択された場合、省電力処理装置２（制御部１１）は、省電力モードの処理を実行する。表１に示すように、主電源部３はＯＮ、補助電源部４１はＯＦＦ、電力供給ＳＷ４２からは補助電力が機能レジスタ群１２に供給され（補助電力供給）、クロック変調出力部２３は変調あり、クロック出力先制限部２４は制限ありで動作する。
この省電力モードの場合、補助電源部４１から補助電力が供給されないため、機能レジスタ群１２と機能実行部群３０との双方での消費電力を削減することができる。つまり、電源電圧Ｖが印加されない（Ｖ＝０）ため、機能実行部や機能レジスタが消費する電力Ｐ3は、ほぼ０となる。
このように、本実施形態において、『省エネモード：省電力優先』が選択された場合、『通常モード』が選択された場合と比較して、Ｐ1で示す電力分の省電力効果が期待できる。また、『省エネモード：高速立ち上がり』が選択された場合と比較しても、機能実行部群３０におけるリーク電流による消費電力を削減するため、省電力効果は十分期待できる。
【００４６】
各モードでの動作の詳細な説明をする。
［省電力処理装置の省電力処理動作］
次に、図５ないし図１１を参照して、画像処理システム１が備える省電力処理装置２の省電力処理動作について説明する（適宜、図１および図２を参照）。
図５は、省電力処理装置の省電力処理動作のガントチャートである。
【００４７】
モード変更処理（ステップＳ１００）にて、ユーザにより選択されたモード（通常モード、待機モード、省電力モード）をＲＡＭ１５に記憶する。
通常モード実行中処理（ステップＳ２００）にて、所定の条件を満たしたときに、ＲＡＭ１５に記憶されたモード情報を取得して、「省電力モード」であれば、省電力モード開始処理（ステップＳ３００）を実行し、一方、「待機モード」であれば、待機モード開始処理（ステップＳ６００（図１１））を実行する。
図５のガントチャートでは、モード情報として「省電力モード」が記憶されている場合を示している。
【００４８】
省電力モード開始処理（ステップＳ３００）にて、ＣＰＵ１０の駆動クロックを通常時より低速化する処理を行うと共に、機能レジスタ群１２のデータＤをＦＬＡＳＨ−ＲＯＭ４に記憶させ（データＤのバックアップをする）、機能レジスタ群１２と機能実行部群３０との双方への電力供給を停止する。
省電力モード実行処理（ステップＳ４００）にて、ジョブデータを受信したときに、通常モード開始処理（ステップＳ５００）を実行し、ＣＰＵ１０の駆動クロックを通常時に戻す処理を行うと共に、機能レジスタ群１２と機能実行部群３０との双方への電力を供給し、ＦＬＡＳＨ−ＲＯＭ４のデータＤを機能レジスタ群１２に記憶させる。
そして、再び通常モード実行中処理（ステップＳ２００）を行う。
【００４９】
［モード変更処理動作（ステップＳ１００）］
図６は、省電力処理装置のモード変更処理動作のフローチャートである。
まず、ユーザにより、操作入力部１７０が操作されることで、制御部１１は、操作表示部１７０が操作されたことを検知して（ステップＳ１０１）、現在実行中の処理を中断して、割り込みを行う（ステップＳ１０２）。
【００５０】
そして、ユーザは、操作入力部１７０を操作して、「省エネモード設定」を選択して決定ボタン１７３（図３）を押下する（ステップＳ１０３）。ここで、「省エネモード設定」以外が選択された場合については、本発明の本質ではないため、ここでは記載を省略する。
制御部１１は、操作入力部１７０から「省エネモード設定」が選択された旨のデータを取得し、操作表示部１８０に省エネモード設定画面（図４）を表示させる（ステップＳ１０４）。
【００５１】
そして、再びユーザは、省エネモード設定画面を見て、操作入力部１７０を操作する。
制御部１１は、操作入力部１７０から入力されたデータを取得し、省エネモード設定画面にて押下されたボタンを判定する（ステップＳ１０５）。
キャンセルボタン１７４が押下された場合（ステップＳ１０５，キャンセル）、制御部１１は、操作表示部１８０にメニュー画面を再び表示させる処理を行う（ステップＳ１０８）。
【００５２】
一方、決定ボタン１７３が押下された場合（ステップＳＳ１０５，決定）、制御部１１は、操作入力部１７０から入力されたデータから、ユーザに選択されたモード情報を取得し（ステップＳ１０６）、モード情報をＲＡＭ１５に記憶させる（ステップＳ１０７）。
そして、制御部１１は、操作表示部１８０にメニュー画面を再び表示させる処理を行い（ステップＳ１０８）、ステップＳ１０２で中断した処理を再び実行する（ステップＳ１０９）。そしてモード変更処理動作を終了する。
以上の処理により、ＲＡＭ１５には、モード情報「通常モード」、「待機モード」、および「省電力モード」のいずれか一つが記憶される。
【００５３】
［通常モード実行中処理動作（ステップＳ２００）］
図７は、省電力処理装置の通常モード実行中処理動作のフローチャートである。
まず、制御部１１は、時間計測部２８を制御して、時間計測を開始する（ステップＳ２０１）。
そして、制御部１１は、所定のタイミングで外部接続部１６がジョブデータを受信したか否かを判定する（ステップＳ２０２）。
ジョブデータを受信していれば（ステップＳ２０２，Ｙｅｓ）、そのジョブデータに応じた処理を実行する（ステップＳ２０３）。例えば、ジョブデータが、印刷部６への印刷指示を伴う、画像データであれば、制御部１１は、機能実行部群３０を制御して、印刷部６に画像データを印刷させる。そして、ステップＳ２０１の処理に戻る。
【００５４】
一方、ジョブデータを受信していなければ（ステップＳ２０２，Ｎｏ）、制御部１１は、時間計測部２８が計測した計測時間と、予め設定された所定の時間（Ｔp）とを比較する（ステップＳ２０４）。ここで、時間Ｔpは、待機モード処理や省電力モード処理を開始するトリガとなる待ち時間である。
時間計測部２８の計測時間≦時間Ｔpであれば（待ち時間以内）（ステップＳ２０４，Ｎｏ）、制御部１１は、再びステップＳ２０２の処理を行う。
【００５５】
一方、時間計測部２８の計測時間＞時間Ｔpであれば（待ち時間を経過）（ステップＳ２０４，Ｙｅｓ）、制御部１１は、時間計測部２８を制御して、時間の計測を停止させ、計測時間を初期化（＝０）させる（ステップＳ２０５）。
そして、制御部１１は、ＲＡＭ１５からモード情報を取得し（ステップＳ２０６）、モード情報の判定を行う（ステップＳ２０７）。
【００５６】
モード情報が「通常モード」である場合（ステップＳ２０７，通常モード）、制御部１１は、再びステップＳ２０１の処理を行う。
一方、モード情報が「待機モード」である場合（ステップＳ２０７，待機モード）、制御部１１は、待機モード開始処理（ステップＳ６００，図１１）を実行する（ステップＳ２０８）。
また、モード情報が「省電力モード」である場合（ステップＳ２０７，省電力モード）、制御部１１は、省電力モード開始処理（ステップＳ３００，図８）を実行する（ステップＳ２０９）。
そして、制御部１１は、通常モード実行中処理動作を終了する。
【００５７】
［省電力モード開始処理動作（ステップＳ３００）］
図８は、省電力処理装置の省電力モード開始処理動作のフローチャートである。
図８を参照して、図７のステップＳ２０９における、省電力処理装置の省電力モード開始処理動作について説明する（適宜、図１および図２を参照）。
【００５８】
まず、制御部１１は、電力供給ＳＷ４２を制御して、補助電力を機能レジスタ群１２を含む各部に出力させて（ステップＳ３０１）、機能レジスタ群１２に補助電力を供給する。
そして、制御部１１は、機能レジスタ群１２に記憶されたデータＤと、そのデータＤのレジスタアドレスとを取得し（ステップＳ３０２）、複製記憶機能部３３を制御して、取得したデータＤとレジスタアドレスとをＦＬＡＳＨ−ＲＯＭ４に記憶させる（バックアップをする）（ステップＳ３０３）。
【００５９】
制御部１１は、リセット出力先選択部２７を制御して、機能レジスタ群１２へリセット信号を出力させる（ステップＳ３０４）。
次に、制御部１１は、クロック変調出力部２３を制御して、クロック生成部２２が生成したクロック信号の周波数（Ｆ）を、所定の値（Ｆch＜Ｆ）に変調したクロック信号（周波数＝Ｆch）を出力させる（ステップＳ３０５）と共に、クロック出力先制限部２４を制御して、機能実行部群３０および機能レジスタ群１２へのクロック信号（周波数＝Ｆch）の出力を停止させる（ステップＳ３０６）。
【００６０】
制御部１１は、リセット出力先選択部２７を制御して、機能実行部群３０へリセット信号を出力させる（ステップＳ３０７）。
制御部１１は、補助電源部４１を制御して、電源をＯＦＦにして、機能レジスタ群１２と機能実行部群３０との双方への補助電力の供給を停止させる（ステップＳ３０８）。
そして、制御部１１は、省電力モード実行処理（ステップＳ４００，図９）を実行し（ステップＳ３０９）、省電力モード開始処理動作を終了する。
【００６１】
［省電力モード実行処理動作（ステップＳ４００）］
図９は、省電力処理装置の省電力モード実行処理動作のフローチャートである。
図９を参照して、図８のステップＳ３０９における、省電力処理装置の省電力モード実行処理動作について説明する（適宜、図１および図２を参照）。
【００６２】
まず、制御部１１は、外部接続部１６がジョブデータを受信したか否かを判定する（ステップＳ４０１）。
ジョブデータを受信していなければ（ステップＳ４０１，Ｎｏ）、ステップＳ４０１に戻り、外部接続部１６がジョブデータを受信するまで待機する。
【００６３】
一方、ジョブデータを受信したとき（ステップＳ４０１，Ｙｅｓ）、制御部１１は、外部接続部１６を介して、ＰＣ７に、ジョブデータを送信しないように、Ｗａｉｔ指示データを送信する（ステップＳ４０２）。
そして、制御部１１は、通常モード開始処理（ステップＳ５００，図１０）を実行する（ステップＳ４０３）。
通常モード開始処理終了後、制御部１１は、外部接続部１６を介して、ＰＣ７にＷａｉｔ解除指示データを送信し（ステップＳ４０４）、通常モード実行中処理（ステップＳ２００，図７）に移行する（ステップＳ４０５）。
【００６４】
［通常モード開始処理動作（ステップＳ５００）］
図１０は、省電力処理装置の通常モード開始処理動作のフローチャートである。
図１０を参照して、図９のステップＳ４０３における、省電力処理装置の通常モード開始処理動作について説明する（適宜、図１および図２を参照）。
【００６５】
まず、制御部１１は、補助電源部４１を制御して、電源をＯＮにして、補助電力を機能実行部群３０を含む各部に供給させる（ステップＳ５０１）と共に、電力供給ＳＷ４２を制御して、主電力を機能レジスタ群１２を含む各部に出力させる（ステップＳ５０２）。これにより、機能レジスタ群１２には主電力が供給され、機能実行部群３０には補助電力が供給される。
制御部１１は、クロック変調出力部２３を制御して、クロック生成部２２が生成した周波数のクロック信号（周波数＝Ｆ）を変調せずに出力させる（ステップＳ５０３）と共に、クロック出力先制限部２４を制御して、機能実行部群３０および機能レジスタ群１２へクロック信号（周波数＝Ｆ）を出力させる（ステップＳ５０４）。
そして、制御部１１は、リセット出力先選択部２７を制御して、機能レジスタ群１２へのリセット信号の出力を停止させる（ステップＳ５０５）。
【００６６】
そして、制御部１１は、時間計測部２８を制御して、時間計測を開始する（ステップＳ５０６）。
制御部１１は、時間計測部２８が計測した計測時間と、予め設定された所定の時間（Ｔclk）とを比較する（ステップＳ５０７）。ここで、時間Ｔclkは、クロック生成部２２が生成したクロックが、クロック変調出力部２３から安定して出力されるまでの待ち時間である。
時間計測部２８の計測時間≦時間Ｔclkであれば（待ち時間以内）（ステップＳ５０７，Ｎｏ）、制御部１１は、再びステップＳ５０７の処理を行う。
【００６７】
一方、時間計測部２８の計測時間＞時間Ｔclkであれば（待ち時間を経過）（ステップＳ５０７，Ｙｅｓ）、制御部１１は、複製記憶機能部３３を制御して、ＦＬＡＳＨ−ＲＯＭ４に記憶されたデータＤと、そのデータＤのレジスタアドレスとを取得する（ステップＳ５０８）。そして、制御部１１は、取得したレジスタアドレスに基づき、データＤを機能レジスタ群１２に記憶させる（ステップＳ５０９）。そして、制御部１１は、通常モード開始処理動作を終了し、次のステップＳ４０４（図９）の処理を行う。
【００６８】
［待機モード開始処理動作（ステップＳ６００）］
図１１は、省電力処理装置の待機モード開始処理動作のフローチャートである。
図１１を参照して、図７のステップＳ２０８における、省電力処理装置の待機モード開始処理動作について説明する（適宜、図１および図２を参照）。
【００６９】
まず、制御部１１は、電力供給ＳＷ４２を制御して、主電力を機能レジスタ群１２を含む各部に出力させて（ステップＳ６０１）、機能レジスタ群１２に主電力を供給する。
次に、制御部１１は、クロック変調出力部２３を制御して、クロック生成部２２が生成したクロック信号の周波数（Ｆ）を、所定の値（Ｆch＜Ｆ）に変調したクロック信号（周波数＝Ｆch）を出力させる（ステップＳ６０２）と共に、クロック出力先制限部２４を制御して、機能実行部群３０および機能レジスタ群１２へのクロック信号（周波数＝Ｆch）の出力を停止させる（ステップＳ６０３）。
【００７０】
制御部１１は、リセット出力先選択部２７を制御して、機能実行部群３０へリセット信号を出力させる（ステップＳ６０４）。
制御部１１は、補助電源部４１を制御して、電源をＯＦＦにして、機能実行部群３０への補助電力の供給を停止させる（ステップＳ６０５）。
そして、制御部１１は、待機モード実行処理を実行し（ステップＳ６０６）、待機モード開始処理動作を終了する。
【００７１】
ここで、待機モード実行処理は、図９で示す省電力モード実行処理動作のフローチャートと同じ処理が行われるため、説明を省略する。
【００７２】
以上の動作によって、本実施形態の省電力処理装置２は、所定の時間内にジョブデータが入力されないときに、「通常モード」から「待機モード」または「省電力モード」へ自動で移行し、その後、ジョブデータが入力されたときに、「待機モード」から「通常モード」へ、「省電力モード」から「通常モード」へ自動で移行する。
【００７３】
［第２の実施形態］
次に、第２の実施形態について、適宜、図面を参照しながら詳細に説明する。
図１２は第２の実施形態に係る省電力処理装置を含む画像処理システムのブロック図であり、図１３は第２の実施形態に係る省電力処理装置の電気配線図である。
ここで、第２の実施形態の省電力処理装置２Ａと、第１の実施形態の省電力処理装置２との差異について説明する。
【００７４】
第２の実施形態の省電力処理装置２Ａは、印刷部６の温度を測定する温度センサ８を備える。
また、第２の実施形態の省電力処理装置２Ａは、第１の実施形態の機能実行部群３０を、機能実行部群３０Ａと機能実行部群３０Ｂとで分け、制御部１１が機能実行部群３０Ａを制御したときの処理データが書き込まれる機能レジスタ群１２Ａと、機能実行部群３０を制御したときの処理データが書き込まれる機能レジスタ群１２Ｂとを有する。
【００７５】
ここで、機能実行部群３０Ｂは、色変換機能部３１と、色変換検出機能部３６とで構成される。
色変換検出機能部３６は、不図示のインタフェースを介して接続された温度センサ８から温度データを取得する。そして、その温度に対応する色修正ルックアップテーブルを利用して、色変換機能部３１がＫＹＭＣデータに変更するときに用いる色変換のルックアップテーブルを再計算する機能を有し、制御部１１に制御されて、当該機能を実現することができる機能実行部である。
【００７６】
第２の実施形態では、クロック出力先制限部２４は、クロック生成部２２が生成したクロック信号を機能実行部群３０Ａ、３０Ｂおよび機能レジスタ群１２Ａ、１２Ｂへクロック信号を出力し、制御部１１の制御に応じて、それぞれへのクロック信号の出力を停止する。
そして、機能レジスタ群１２Ａは、電力供給ＳＷ４２Ａにより電気配線Ｌｗを介して電力が供給され、一方、機能レジスタ群１２Ｂは、電力供給ＳＷ４２Ｂにより電気配線Ｌｘを介して電力が供給される。
ここで、電力供給ＳＷ４２Ａと電力供給ＳＷ４２Ｂとは、別々に制御部１１により制御されるため、機能レジスタ群１２Ａには主電源部３からの電力（主電力）の供給が可能となり、また、機能レジスタ群１２Ｂには補助電源部４１からの電力（補助電力）の供給が可能になる。
【００７７】
これにより、第２の実施形態の省電力処理装置２Ａは、補助電源部４１の電源をＯＦＦ（電力供給停止）にしなくても、クロック出力先制限部２４により、対象の機能実行部群３０Ａ（３０Ｂ）および機能レジスタ群１２Ａ（１２Ｂ）に対して、クロックの供給を停止することができる。例えば、クロック出力先制限部２４が、対象の機能実行部群３０Ｂおよび機能レジスタ群１２Ｂに対して、クロックの供給を停止したときに、ジョブデータを処理中の機能実行部群３０Ａおよび機能レジスタ群１２Ａにおける消費電力が電力Ｐ1であっても、機能実行部群３０Ｂおよび機能レジスタ群１２Ｂにおける消費電力を電力Ｐ2に低減することができる。
また、第２の実施形態の省電力処理装置２Ａは、補助電源部４１の電源をＯＦＦ（電力供給停止）することで、機能実行部群３０Ａ、３０Ｂおよび機能レジスタ群１２Ａ、１２Ｂにおける消費電力を電力Ｐ3（＝０）に低減することができる。
【００７８】
以上、本発明の実施形態について説明したが、本発明は前記した実施形態に限定されず、適宜変更して実施することが可能である。
例えば、第２の実施形態では、機能実行部群３０Ａと機能実行部群３０Ｂとの２つに分けたが、システム環境に応じて、さらに、複数に分けてもよい。例えば、画像表示機能部３４を独立した機能実行部群３０Ｃ、印刷機能部３５を独立した機能実行部群３０Ｄとし、電源供給ＳＷ４２Ｃ、４２Ｄとを設ける。そして、それぞれ機能レジスタ群１２Ｃ、１２Ｄとして、クロック出力先制限部２４は、クロック生成部２２が生成したクロック信号を、機能実行部群３０Ａ〜３０Ｄおよび機能レジスタ群１２Ａ〜１２Ｄへ出力し、制御部１１の制御に応じて、それぞれへのクロック信号の出力を停止する。
以上のように構成することにより、外部接続部１６に入力されたジョブデータが、画面表示部５に画像を表示するジョブデータであるときには、印刷機能部３５の消費電力を低減することもできる。
【００７９】
また、第１の実施形態および第２の実施形態では、画像データをＲＡＭ１５に一旦記憶させているが、画像処理システム１（１Ａ）は、画像データを一時的に記憶するための記憶部（ＤＲＡＭなど）をさらに備えてもよい。そして、制御部１１に制御されて、画像データをそのＤＲＡＭに記憶させる機能実行部（ＤＲＡＭ記憶機能部）を、省電力処理装置２（２Ａ）が機能実行部群３０に有し、さらに、ＤＲＡＭ記憶機能部が処理したデータが書き込まれる機能レジスタを機能レジスタ群１２が有していても良い。
【符号の説明】
【００８０】
１      画像処理システム
２      省電力処理装置
３      主電源部
４      ＦＬＡＳＨ−ＲＯＭ（不揮発性記憶部）
５      画面表示部
６      印刷部
７      ＰＣ
１０    ＣＰＵ
１１    制御部
１２    機能レジスタ群（揮発性記憶部）
（１２１，１２２，１２３，１２４，１２５  機能レジスタ）
１３    レジスタ群
１４    プログラムＲＯＭ
１５    ＲＡＭ
１６    外部接続部（ジョブデータ入力部）
１７    操作入力接続部
１８    操作表示接続部
２２    クロック生成部
２３    クロック変調出力部
２４    クロック出力先制限部
２５    リセット部
２６    リセット生成部
２７    リセット出力先制限部
２８    時間計測部
３０    機能実行部群
３１    色変換機能部
３２    ２値化機能部
３３    複製記憶機能部
３４    画面表示機能部
３５    印刷機能部
４０    供給先限定電源部
４１    補助電源部（供給先限定電源部）
４２    電力供給ＳＷ（供給先限定電源部）
１７０  操作入力部
１８０  操作表示部
Ｌ（Ｌｍ，Ｌｓ，Ｌｗ）  電気配線
【図１】
2011242925.tif 000006
【図２】
2011242925.tif 000007
【図３】
2011242925.tif 000008
【図４】
2011242925.tif 000009
【図５】
2011242925.tif 000010
【図６】
2011242925.tif 000011
【図７】
2011242925.tif 000012
【図８】
2011242925.tif 000013
【図９】
2011242925.tif 000014
【図１０】
2011242925.tif 000015
【図１１】
2011242925.tif 000016
【図１２】
2011242925.tif 000017
【図１３】
2011242925.tif 000018